(57)【要約】【課題】ユーザが好みの任意の画像を利用して撮像画像の画像調整を自動的に行う。【解決手段】  本実施形態に係る撮影機器は、被写体像を撮像する撮像部と、上記撮像部で撮像して得た撮像画像を表示する表示部と、上記表示部に表示された画像をサンプル画像とし該サンプル画像中の位置を指定すると共に指定した位置の画像を評価する指定部と、上記指定した位置とその位置の画像の評価とを関連付けて上記サンプル画像毎にデータベース化するデータベース生成部とを具備する。【選択図】図１
2014036269.tif 000002
【特許請求の範囲】
【請求項１】
被写体像を撮像する撮像部と、
上記撮像部で撮像して得た撮像画像を表示する表示部と、
上記表示部に表示された画像をサンプル画像とし該サンプル画像中の位置を指定すると共に指定した位置の画像を評価する指定部と、
上記指定した位置とその位置の画像の評価とを関連付けて上記サンプル画像毎にデータベース化するデータベース生成部と
を具備したことを特徴する撮影機器。
【請求項２】
上記データベース生成部が生成したデータベースを記録する記録部
を具備したことを特徴する請求項１に記載の撮影機器。
【請求項３】
上記データベース生成部が生成したデータベースを送信する通信部
を具備したことを特徴する請求項１又は２に記載の撮影機器。
【請求項４】
上記データベース生成部が生成したデータベースに従って、上記撮像部を制御する制御部
を具備したことを特徴する請求項１乃至３のいずれか１つに記載の撮影機器。
【請求項５】
上記撮像部が撮像して得た撮像画像を画像処理する画像処理部を備え、
上記制御部は、上記データベース生成部が生成したデータベースに従って、上記画像処理部の画像処理を制御する
ことを特徴する請求項４に記載の撮影機器。
【発明の詳細な説明】
【技術分野】
【０００１】
本発明は、撮影パラメータを自動調整可能な撮影機器に関する。
【背景技術】
【０００２】
近年、デジタルカメラなどの撮影機能付き携帯機器（撮影機器）が普及している。この種の撮影機器においては、撮影時の種々の設定が自動化されたものがある。例えば、デジタルカメラ等には、ピント合わせを自動化したＡＦ機能や、露出を自動化した自動露出（ＡＥ）機能、カラー調整を自動で行う機能等が搭載されることがある。
【０００３】
更に、特許文献１においては、予め指定したサンプル画像データから撮影パラメータを決定し、自動的に撮像画像の画像調整を行う装置が開示されている。
【先行技術文献】
【特許文献】
【０００４】
特開２０１１−１０３５４８号公報
【発明の概要】
【発明が解決しようとする課題】
【０００５】
しかしながら、特許文献１の発明では、提供されるサンプル画像から撮影パラメータを得るようになっており、ユーザーが見た瞬間に良いと感じた画像を利用した画像調整を行うことはできないという問題があった。
【０００６】
本発明は、ユーザが好みの任意の画像を利用して撮像画像の画像調整を自動的に行うことができる撮影機器を提供することを目的とする。
【課題を解決するための手段】
【０００７】
本発明に係る撮影機器は、被写体像を撮像する撮像部と、上記撮像部で撮像して得た撮像画像を表示する表示部と、上記表示部に表示された画像をサンプル画像とし該サンプル画像中の位置を指定すると共に指定した位置の画像を評価する指定部と、上記指定した位置とその位置の画像の評価とを関連付けて上記サンプル画像毎にデータベース化するデータベース生成部とを具備する。
【発明の効果】
【０００８】
本発明によれば、ユーザが好みの任意の画像を利用して撮像画像の画像調整を自動的に行うことができるという効果を有する。
【図面の簡単な説明】
【０００９】
【図１】本発明の第１の実施の形態に係る撮影機器の回路構成を示すブロック。
【図２】データベース生成部１１ｃによって生成される１サンプル画像についてのデータベースの内容の一例を示す説明図。
【図３】第１の実施の形態の動作を説明するための説明図。
【図４】第１の実施の形態の動作を説明するための説明図。
【図５】カメラ制御を説明するためのフローチャート。
【図６】図５中のステップＳ９，Ｓ３３における好みの指定処理の具体的なフローを示すフローチャート。
【図７】撮像画像とサンプル画像との類似判定の一例を示すフローチャート。
【図８】指定効果に合わせたパラメータ設定の具体例を示すフローチャート。
【図９】ロストシーンの判定を説明するためのフローチャート。
【図１０】本発明の第２の実施の形態を示すフローチャート。
【図１１】第２の実施の形態における画面表示の表示例を示す説明図。
【発明を実施するための形態】
【００１０】
以下、図面を参照して本発明の実施の形態について詳細に説明する。
【００１１】
図１は本発明の第１の実施の形態に係る撮影機器の回路構成を示すブロック図である。本実施の形態における撮影機器１は、本体部１０及び交換レンズ２０によって構成されている。本体部１０は、撮影機器１の主要な回路部分が収納された筐体であり、前面に交換レンズ２０が着脱自在に取り付けられている。
【００１２】
交換レンズ２０は、本体部１０の撮像部１２に被写体像を導くレンズ部２１を有している。レンズ部２１は、ズームやフォーカシングのためのレンズ等を備えており、これらのレンズを駆動制御するための操作部２２を備えている。ズームリングやピントリング等によって構成される操作部２２の操作によって、ピントのみならず、ズーム位置や絞りの調整も可能である。
【００１３】
操作部２２は、ユーザ操作に基づく操作信号を制御部２３に出力する。制御部２３は、マイコン等によって構成されており、操作部２２からの操作信号に基づいて、回転操作及びシフト操作に基づくフォーカス信号及びズーム信号を発生して、駆動部２４を制御する。
【００１４】
モーター等によって構成された駆動部２４は、レンズ部２１に設けられたピント合わせに関連するピントレンズ及びズーミングに関連するズームレンズを駆動し、ピント制御及びズーム制御を行う。レンズ部２１にはピント制御部２１ａ、ズーム制御部２１ｂ及び絞り制御部２１ｃが設けられている。ピント制御部２１ａはピントレンズの位置に対応した信号をピント位置判定部２５ａに出力する。また、ズーム制御部２１ｂはズームレンズの位置（ズーム位置）に対応した信号をズーム位置判定部２５ｂに出力する。絞り制御部２１ｃは、レンズ内の軸状光束を制限するための絞り制御部である。
【００１５】
ピント位置判定部２５ａは、ピント制御部２１ａの出力に基づいてピント位置を判定して判定結果を制御部２３に出力する。ズーム位置判定部２５ｂは、ズーム制御部２１ｂの出力に基づいてズーム位置を判定して判定結果を制御部２３に出力する。制御部２３は、ピント位置及びズーム位置の判定結果が与えられ、操作部２２の操作に対応したピント位置及びズーム位置となるように、駆動部２４を制御する。
【００１６】
交換レンズ２０には、通信部２８が設けられている。また、本体部１０には通信部１３が設けられている。通信部２８は、所定の伝送路を介して本体部１０の通信部１３との間で情報の送受を行う。制御部２３は、本体部１０の通信部１３との間の通信が確立すると、記録部２６に格納したレンズ情報及びズーム操作に関するズーム情報等を通信部２８，１３によって本体部１０に送信させることができる。
【００１７】
レンズ情報により、本体部１０は、交換レンズ２０がどのようなズーム機能を有しているか、ズームレンズの焦点距離範囲（倍率）、焦点距離、明るさナンバー等を認識することができる。また、本体部１０には、操作部２２からの回転操作の情報も与えられるようになっている。制御部２３は、通信部１３，２８介して本体部１０の信号処理及び制御部１１から制御信号が供給されて、信号処理及び制御部１１によって制御可能に構成されている。
【００１８】
なお、本実施の形態においては、種々の交換レンズを採用することができ、更に、交換レンズだけでなく、交換不能なレンズを採用してもよい。
【００１９】
撮影機器１を構成する本体部１０は、ＣＣＤやＣＭＯＳセンサ等の撮像素子によって構成された撮像部１２を有している。撮像部１２は、本体部１０の前面に設けられた交換レンズ２０からの被写体像を光電変換して撮影画像を得る。撮像部１２は、信号処理及び制御部１１によって駆動制御されて、撮影画像を出力する。
【００２０】
信号処理及び制御部１１は、ＣＰＵ等によって構成されて撮影機器１の各部を制御する。信号処理及び制御部１１は、撮像部１２に撮像素子の駆動信号を出力すると共に、撮像部１２からの撮影画像を読み出す。信号処理及び制御部１１は、読み出した撮影画像に対して、所定の信号処理、例えば、色調整処理、マトリックス変換処理、ノイズ除去処理、その他各種の信号処理を行う。
【００２１】
本体部１０には、時計部１４及び操作判定部１５も配設されている。時計部１４は信号処理及び制御部１１が用いる時間情報を発生する。操作判定部１５は、本体部１０に設けられた図示しないレリーズボタン、ファンクションボタン、撮影モード設定等の各種スイッチ等を含む操作部に対するユーザ操作に基づく操作信号を発生して、信号処理及び制御部１１に出力するようになっている。信号処理及び制御部１１は、操作信号に基づいて、各部を制御する。
【００２２】
信号処理及び制御部１１は、信号処理後の撮影画像を圧縮処理し、圧縮後の画像を記録部１６に与えて記録させることができる。記録部１６としては、例えばカードインターフェースを採用することができ、記録部１６はメモリカード等の記録媒体に画像情報及び音声情報等を記録可能である。
【００２３】
また、信号処理及び制御部１１の表示制御部１１ａは表示に関する各種処理を実行する。表示制御部１１ａは、信号処理後の撮影画像を表示部３５及び接眼部３０の接眼表示部３１に与えることができる。表示部３５及び接眼表示部３１は、夫々ＬＣＤ等の表示画面を有しており、表示制御部１１ａから与えられた画像を表示する。また、表示制御部１１ａは、各種メニュー表示等をこれらの表示画面に表示させることもできるようになっている。
【００２４】
表示部３５は、後述するように、撮像画像を表示する表示画面３８を有している。また、表示画面３８上には、タッチパネル３６が設けられている。タッチパネル３６は、ユーザが指で指し示した表示画面３８上の位置に応じた操作信号を発生することができる。この操作信号は、信号処理及び制御部１１に供給される。これにより、信号処理及び制御部１１は、ユーザがタッチした表示画面３８上の位置やユーザが表示画面３８上を指でスライドさせるスライド操作を行った場合には、そのタッチ位置等を検出することができ、ユーザ操作に対応した処理を実行することができるようになっている。
【００２５】
なお、表示部３５は、本体部１０の例えば背面に配設されており、撮影者は、撮影時に表示画面３８上に表示されたスルー画を確認することができ、スルー画を確認しながら撮影操作を行うことができる。
【００２６】
また、本体部１０には、ユーザが目を接眼表示部３１に近接させたことを検出するアイセンサ１７が設けられている。アイセンサ１７の検出結果によって、信号処理及び制御部１１は、ユーザが目を接眼表示部３１に近接させたか否かを判定することができるようになっている。
【００２７】
本実施の形態においては、信号処理及び制御部１１は、ポスター等の印刷された既存の撮像画像（以下、サンプル画像という）を撮像し、撮像結果に基づいて最適な撮影パラメータを自動的に設定するサンプル撮影モードを実行することができるようになっている。例えば、信号処理及び制御部１１は、複数のサンプル画像を収集してデータベース化し、撮影しようとする画像に似たサンプル画像に基づく撮影パラメータをデータベースから取得することで、撮影画像に最適な撮影パラメータを自動的に設定する。
【００２８】
このようなサンプル撮影モードを可能にするために、信号処理及び制御部１１は、被写体判定部１１ｂ、データベース生成部１１ｃ、サンプル判定部１１ｄ、パラメータ制御部１１ｅを有する。被写体判定部１１ｂは、撮像画像から被写体を判定する。例えば、被写体判定部１１ｂは、被写体として人物、動物、草木や花や建造物等を判定すると共に、その被写体の背景部分を背景の被写体として判定する。また、被写体判定部１１ｂは、被写体の形状だけでなく、色彩や模様、画像のぼけ等についても判定する。データベース生成部１１ｃは、サンプル画像の取得時には、被写体判定部１１ｂの判定結果に従ってサンプル画像をデータベース化する。
【００２９】
データベース生成部１１ｃは、例えば、サンプル画像の特徴を被写体の種別や、サイズ、色、ぼけ具合等の特徴によってデータベース化する。データベース生成部１１ｃは、サンプル画像の特徴に応じた撮影のためのパラメータを決定し、各サンプル画像毎にパラメータ指定のための情報をデータベースに記述する。データベース生成部１１ｃは、各サンプル画像毎にデータベースの内容を追加、データベース記録部３７に記録するデータベースを更新する。
【００３０】
図２はデータベース生成部１１ｃによって生成される１サンプル画像についてのデータベースの内容の一例を示す説明図である。
【００３１】
図２は１つのサンプル画像の取得時に、データベース生成部１１ｃによって生成された記録内容（サンプルシーン１）を示している。図２の例では、被写体判定部１１ｂによってサンプル画像中に２つの被写体が検出されたことを示している。指定被写体１に示される被写体は、被写体種別が「花」であり、画面内の約１／２の大きさを有し、色がピンクであることを示している。また、指定被写体２に示される被写体は、被写体種別が「背景」であり、画面内の約１／２の大きさを有し、多数の色によって構成されていることを示している。
【００３２】
データベース生成部１１ｃは、被写体判定部１１ｂの判定結果によって指定被写体１，２の情報を生成し、これらの指定被写体１，２に対する撮影パラメータを決定するための指定効果を決定する。指定効果は、ユーザが指定被写体の画像について評価し、評価の結果に応じた画像調整を得るためのものである。図２の例では、データベース生成部１１ｃは、ユーザ操作に基づいて、指定被写体１に対応する被写体の色を指定被写体１の色に合わせると共にぼけを指定せず、指定被写体２に対応する被写体の色を指定せず、ぼけについてはぼけありとする指定効果に設定する。
【００３３】
サンプル判定部１１ｄは、サンプル撮影モード時には、撮像画像の特徴をデータベース記録部から読み出したデータベースの各サンプルの特徴と比較することで、撮像画像がいずれのサンプル画像に類似するかを判定する。サンプル判定部１１ｄは、撮像画像が最も似ているサンプル画像のデータベース記述を読み出して、その指定効果をパラメータ制御部１１ｅに出力する。
【００３４】
パラメータ制御部１１ｅは、入力された指定効果が得られるように、撮影パラメータの設定を行う。例えば、パラメータ制御部１１ｅは、撮像画像中の所定の被写体に対しぼけありが指定されている場合には、所定の被写体がぼけを有するように、コントラストの調整を行う。例えば、パラメータ制御部１１ｅは、焦点距離や絞りの調整、画像処理操作等によってぼけの調整を行う。また、例えば、パラメータ制御部１１ｅは、撮像画像中の所定の被写体に対して指定効果として色が指定されている場合には、当該色となるように撮像画像に対する色調整を行う。
【００３５】
こうして、サンプル画像に似た画像を撮影する場合には、信号処理及び制御部１１によって、サンプル画像を得たパラメータと同様のパラメータが設定されたり、サンプル画像と同様の色調整が行われて、サンプル画像と同様の仕上がりの画像を得ることができる。
【００３６】
なお、本体部１０には通信部１９も設けられている。通信部１９は、信号処理及び制御部１１に制御されて、図示しない伝送路を介して撮像画像、記録画像を他の機器との間で送受信することができるようになっている。また、本実施の形態においては、通信部１９は、データベース記録部３７に記録されているデータベースを送信すると共に、他の機器で作成したデータベースを受信して、データベース記録部３７に記録させることもできる。例えば、撮影機器１が組み込まれた携帯電話においてサンプル画像を撮像し、携帯電話で取得したサンプル画像及びデータベースをカメラ等の撮影機器に転送することも可能である。これにより、自機以外で生成したデータベースを用いたサンプル撮影が可能である。
【００３７】
次に、このように構成された実施の形態の動作について図３乃至図９を参照して説明する。図３及び図４は実施の形態の動作を説明するための説明図である。図５はカメラ制御を説明するためのフローチャートである。図６は図５中のステップＳ９，Ｓ３３における好みの指定処理の具体的なフローを示すフローチャートである。
【００３８】
本実施の形態においては、撮像部１２によって撮像した画像をサンプル画像として、サンプル撮影モードにおいて利用するデータベースを構築することができるようになっている。図３及び図４はデータベースの構築作業を説明するためのものである。図３（ａ）はユーザ４１が撮影機器１を右手４２で把持し、建築物４３が林立した街路４４を歩行中であることを示している。図３（ｂ）はユーザ４１が建物の壁４６にポスター４７，４８が貼られた場所に到達したことを示している。壁４６には人物が写されたポスター４７と風景が写されたポスター４８が貼られている。なお、ポスター４８には、花の画像４８ａ及び山並みの画像４８ｂが写されている。
【００３９】
ここで、ユーザ４１が風景のポスター４８の画像が気に入るものとする。ユーザ４１は、この風景のポスター４８の画像をサンプル画像として取り込む。即ち、撮影機器１によってポスター４８の撮影を行う。図４（ａ）はポスター４８の撮影によって記録されたポスターの画像（サンプル画像）５１を、表示部３５の表示画面３８上に表示させた状態を示している。
【００４０】
ユーザは例えば本体部１０に配設された図示しないデータベース構築ボタンを操作する。そうすると、信号処理及び制御部１１は、データベースの構築モードに移行し、表示制御部１１ａにより、図４（ｂ）に示すように、表示画面３８に表示された画像５１上に、指定効果を設定するための指定効果設定表示５４，５５を表示する。指定効果設定表示５４は色を「合わせる」という指定効果を設定するためのものであり、指定効果設定表示５５はぼけについて「ぼけあり」という指定効果を設定するためのものである。
【００４１】
ユーザはサンプル画像の気に入った画像部分とその画像部分に対する指定効果を、例えばタッチ操作によって設定する。例えば、ユーザ４１が画像５１中の花について特に色を気に入った場合には、ユーザ４１は先ず表示画面３８に表示された画像５１の花の画像５２の部分をタッチすることで被写体（指定被写体）を指定し、次いで指定効果設定表示５４をタッチする。これにより、花の画像５２の色について「合わせる」という指定効果が設定される。また、ユーザ４１は画像５１中の背景の画像５３の部分をタッチし、次いで指定効果設定表示５５をタッチする。これにより、背景については、「ぼけあり」という指定効果が設定される。なお、指定効果としては２者択一だけでなく、段階的に効果が変化するような選択を可能にしてもよい。
【００４２】
データベース生成部１１ｃは、上述した図３及び図４の説明に従って、例えば図２のデータベースを生成して、データベース記録部３７に記録させる。データベース生成部１１ｃは、サンプル画像毎に、データベースを生成して、データベース記録部３７を更新する。このようにデータベースは、事前に登録しておいてもよく、また後述するように、撮影時に登録してもよい。
【００４３】
図５のステップＳ１において、信号処理及び制御部１１は、電源が投入されたか否かを判定する。電源が投入されない場合には、スタンバイ状態となる（ステップＳ２）。信号処理及び制御部１１は、電源が投入されると、撮影モードが指定されているか否かを判定する（ステップＳ３）。
【００４４】
信号処理及び制御部１１は、ステップＳ３において撮影モードが指定されていないと判定した場合には、ステップＳ６において再生モードが指定されているか否かを判定する。再生モードが指定されている場合には、信号処理及び制御部１１は、ステップＳ７において、記録部１６から画像を読み出して表示部３５に与えて、画像再生を行う。
【００４５】
信号処理及び制御部１１は、ステップＳ８において、データベース構築のためのデータベース構築ボタンの操作があったか否かを判定する。データベース構築ボタンが操作されると、信号処理及び制御部１１は、指定効果設定表示を表示させた後、ステップＳ９においてユーザによる好みの指定操作を検出し、検出結果に基づいてデータベースを構築する（ステップＳ１０）。即ち、上述したように、被写体を指定し、指定した被写体（指定被写体）と指定効果との関係を記述したデータベースを生成する。
【００４６】
即ち、図６のステップＳ４１において、データベース生成部１１ｃは、タッチパネル３６の出力によって、被写体がタッチされたか否かを判定する。タッチされた場合には、タッチされた被写体を指定被写体として設定する（ステップＳ４２）。次に、データベース生成部１１ｃは、指定効果設定表示がタッチされたか否かを判定する（ステップＳ４３）。タッチされた場合には、タッチされた指定効果を指定被写体に対する指定効果として設定する（ステップＳ４４）。指定被写体及びその指定効果の指定は、ステップＳ４５において図示しない終了ボタン等により終了操作されたと判定されるまで繰り返される。
【００４７】
信号処理及び制御部１１は、再生画像の変更操作が行われた場合には、処理をステップＳ１１からステップＳ１２に移行して、読み出す画像を変更する。また、信号処理及び制御部１１は、ステップＳ６において、再生モードが指定されていない場合には、ステップＳ１３において画像通信モードに移行する。通信部１９は、撮像画像、記録画像だけでなく、データベースも他の機器との間で送受信することができる。他の機器から受信したデータベースは、データベース記録部３７に記録される。
【００４８】
撮影機器１がサンプル撮影モードになると、ステップＳ２１において、レンズ通信が行われる。信号処理及び制御部１１は通信部１３を制御して、交換レンズ２０の通信部２８との間で通信を行わせて、制御部２３を介して記録部２６に記憶されているレンズ情報を読み出す。次のステップＳ２２において、信号処理及び制御部１１は、オートフォーカス制御（ＡＦ）及び自動露出制御（ＡＥ）を行い、撮像部１２からの信号を取り込んで信号処理して、撮像画像を得る。
【００４９】
信号処理及び制御部１１は、アイセンサ１７の出力によって、ユーザが接眼表示部３１に接眼しているか否かを判定する。ユーザが接眼表示部３１に接眼している場合には、スルー画を接眼表示部３１に表示させ（ステップＳ２４）、接眼していない場合には、スルー画を表示部３５の表示画面３８上に表示させる（ステップＳ２５）。
【００５０】
次に、サンプル判定部１１ｄは、ステップＳ２６において、撮像画像がいずれのサンプル画像に類似しているかを判定する。サンプル判定部１１ｄは、データベース記録部３７のデータベースを読み出して、撮像画像中の各被写体の特徴と、データベース上の各指定被写体の特徴との比較によって、撮像画像がいずれのサンプル画像に似ているかを判定する。類似するサンプル画像を検出した場合には、パラメータ制御部１１ｅは、検出したサンプル画像についての指定効果を読み出し、読み出した指定効果が得られるように、撮影パラメータを設定する（ステップＳ２７）。
【００５１】
図７は撮像画像とサンプル画像との類似判定の一例を示すフローチャートである。
【００５２】
図７のステップＳ５１において、サンプル判定部１１ｄは、撮像画像中に主被写体の特徴があるか否かを判定する。サンプル判定部１１ｄは、ステップＳ５２において、ステップＳ５１で検出した主被写体が画面内に占めるる大きさが、サンプル画像と合致するか否かを判定する。更に、サンプル判定部１１ｄは、ステップＳ５３において、ステップＳ５１で検出した主被写体の色がサンプル画像の色に類似するか否かを判定する。サンプル判定部１１ｄは、ステップＳ５１〜Ｓ５３の全てにおいてサンプル画像に一致又は類似した場合に、撮像画像がサンプル画像に類似していると判定し（ステップＳ５４）、ステップＳ５１〜Ｓ５３のいずれか１つでも不一致又は非類似の場合には、撮像画像はサンプル画像と非類似であると判定する（ステップＳ５５）。
【００５３】
なお、図７では、主被写体の類似性のみで判定したが、背景の類似性も加味して判定してもよい。また、図７は撮像画像とサンプル画像と極めて類似した画像である場合に類似と判定する例を示しているが、類似の判定基準は適宜設定可能である。
【００５４】
図７の例では、例えば、画面の約１／２のサイズでピンク色の花の被写体と画面の約１／２のサイズで色が多数の背景の被写体とが撮像された撮像画像の場合には、サンプル判定部１１ｄは、図２のサンプルシーン１で示すサンプル画像に類似した画像であるものと判定することになる。この場合には、パラメータ制御部１１ｅは、撮像画像中の花の色がピンク色となるように撮像画像の画質調整を行うと共に、背景がぼけた画像となるように、焦点距離や絞り、画像処理操作等のパラメータを設定する。
【００５５】
図８は指定効果に合わせたパラメータ設定の具体例を示すフローチャートである。
【００５６】
パラメータ制御部１１ｅは、ステップＳ６１において、指定被写体に色指定が有るか否かを判定する。色指定がある場合には、撮像画像の対応する被写体の色をサンプル画像の指定被写体の色に合わせる（ステップＳ６２）。また、パラメータ制御部１１ｅは、ステップＳ６３において、指定被写体にぼけ指定が有るか否かを判定する。ぼけ指定がある場合には、撮像画像の対応する被写体のコントラストを、例えば、絞りや焦点距離の設定変更や画像処理操作によって、サンプル画像の指定被写体のぼけに合わせる（ステップＳ６４）。
【００５７】
パラメータ制御部１１ｅは、ステップＳ６５において、制御の限界に到達したか否かを判定する。撮影レンズの種類によっては、絞りや焦点距離だけでは必要なぼけ量が得られないことが考えられる。そこで、パラメータ制御部１１ｅは、ぼけ量の限界に到達すると、レンズ交換を行った方がよいことを推奨するメッセージ表示を表示させる（ステップＳ６６）。
【００５８】
図９は色調整の方法を説明するための説明図である。図９（ａ１）〜図９（ａ３）は色差Ｃｂに対する調整を示し、図９（ｂ１）〜図９（ｂ３）は色差Ｃｒに対する調整を示している。パラメータ制御部１１ｅは、輝度に影響を与えず色のみを調整するために、ＲＧＢ信号を輝度及び色差Ｃｂ，Ｃｒに変換した後処理を行う。パラメータ制御部１１ｅは、サンプル画像の指定被写体と撮像画像の対応する被写体との間で、色差Ｃｂ及びＣｒのヒストグラムを一致させるように色調整を行う。
【００５９】
例えば、パラメータ制御部１１ｅは、サンプル画像の指定被写体について色差Ｃｂ，Ｃｒのヒストグラムを求める。図９（ａ１），（ｂ１）の破線はサンプル画像の指定被写体の色差Ｃｂ，Ｃｒのヒストグラム特性を示している。また、パラメータ制御部１１ｅは、撮像画像の対応する被写体について色差Ｃｂ，Ｃｒのヒストグラムを求める。図９（ａ１），（ｂ１）の実線は撮像画像の対応する被写体の色差Ｃｂ，Ｃｒのヒストグラム特性を示している。
【００６０】
パラメータ制御部１１ｅは、撮像画像についてのヒストグラム特性のピークをサンプル画像のヒストグラム特性のピークに一致させるように、矢印のように、Ｃｂ，Ｃｒオフセットを付与しヒストグラム特性をシフトさせる（図９（ａ２），（ｂ２））。
【００６１】
こうして、図９（ａ３），（ｂ３）に示すように、撮像画像のヒストグラム特性のピークがサンプル画像のヒストグラム特性のピークに一致する。これにより、撮像画像の対応する被写体の色をサンプル画像の指定被写体の色に近づけることができる。
【００６２】
なお、パラメータ制御部１１ｅは、データベース記録部３７に記録されているサンプル画像を元にヒストグラムを求めてもよい。また、データベース生成部１１ｃがサンプル画像から生成したヒストグラムをデータベース記録部３７に記録し、パラメータ制御部１１ｅは、記録されたサンプル画像のヒストグラムを用いて、色調整を行ってもよい。
【００６３】
次に、信号処理及び制御部１１は、ステップＳ２８において、撮影操作が行われたか否かを判定する。ユーザがレリーズボタン等を操作して撮影を行うと、信号処理及び制御部１１は、ステップＳ２９において静止画撮影を行う。信号処理及び制御部１１は、撮像部１２からの撮像画像に対して所定の信号処理を施した後、記録部１６に与える。ステップＳ２９において撮像される撮像画像は、サンプル画像と同様の仕上がりの画像となる。記録部１６は、撮像画像を図示しない記録媒体に画像ファイルとして記録する（ステップＳ３０）。
【００６４】
信号処理及び制御部１１は、ステップＳ３１において、表示制御部１１ａを制御して、記録した撮像画像をレックビュー表示させる。上述したように、サンプル画像のデータベース化は、撮影時に行ってもよく、信号処理及び制御部１１は、ステップＳ２６において撮像画像がサンプル画像に類似していないと判定した場合のように、ステップＳ２９の撮影操作が通常の撮影操作であった場合には、ステップＳ３２〜Ｓ３５において、撮像画像をサンプル画像としてデータベースの構築作業を行うことが可能である。なお、ステップＳ３２〜Ｓ３４は、ステップＳ８〜Ｓ１０と同一の処理であり、ユーザがレックビュー表示状態でデータベース構築ボタンを操作すると、撮像画像がサンプル画像としてデータベースの構築が行われる。
【００６５】
このように本実施の形態においては、撮像部によって撮像して得たサンプル画像に基づいてサンプル撮影において用いるデータベースを生成しており、印刷されたポスターや写真集等から、簡単にサンプル撮影用のデータベースを作成することができる。データベースと撮像画像との比較によって、撮像画像に類似するサンプル画像を検索し、サンプル画像中の被写体についての指定効果に応じたパラメータ設定が可能であり、簡単にサンプル画像と同様の仕上がりの撮像画像を得ることができる。また、データベースの生成に際して、ユーザがサンプル画像中の好みの被写体とその指定効果とを設定するようになっており、ユーザの好みに応じた画像を得ることができる。
【００６６】
例えば、ユーザが観光地で見つけた好みのポスターを撮像してデータベースを構築し、類似の被写体を撮像すれば、ユーザは好みのポスターと同様の仕上がりの画像を簡単に撮像することができる。また、撮影初心者であっても、簡単に高度な撮影技術によって撮影された撮像画像と略同じ仕上がりの撮像画像を得ることができる。例えば、花の鮮やかな色や、木々の緑や紅葉、動物や昆虫の色など、模範となる印刷物を撮影することで、ユーザの好みの仕上がりの撮像画像を得ることができる。
【００６７】
（第２の実施の形態）
図１０は本発明の第２の実施の形態を示すフローチャートである。また、図１１は第２の実施の形態における画面表示の表示例を示す説明図である。
【００６８】
第１の実施の形態においては、データベースの作成に際して、例えばポスター等のサンプル被写体を撮像してサンプルと同様のサンプル画像が取得可能であるものとして説明した。しかし、実際には、露出等の設定が異なり、ポスター等のサンプル被写体と同様のサンプル画像が得られないことがある。
【００６９】
そこで、本実施の形態はデータベース作成のためのサンプル画像の撮影時の補正を可能にする。本実施の形態においては、ハードウェア構成は第１の実施の形態と同様である。本実施の形態は、パラメータ制御部１１ｅは、指定効果に応じてパラメータの設定を変更するだけでなく、データベース作成のためのサンプル被写体の撮像時にもユーザ操作に基づいてパラメータを調整可能とすることで、サンプル被写体と同様のサンプル画像を得ることを可能にする。
【００７０】
図１０のステップＳ７１において、表示制御部１１ａは、撮像部１２による撮像画像を表示部３５に与えてスルー画の表示を開始する。信号処理及び制御部１１は、ステップＳ７２において、メニューボタン等の操作によりメニュー操作が行われたか否かを判定する。表示制御部１１ａは、メニュー操作が行われた場合には、図１１（ａ）に示すメニュー表示を表示する（ステップＳ７３）。図１１（ａ）に示すように、表示画面３８上には、オートモードを設定するための表示６２ａ、パノラマモードを設定するための表示６２ｂ及びサンプルモードを設定するための表示６２ｃが表示されている。また、表示画面３８上には、メニュー表示を消去するための表示６３も表示されている。
【００７１】
信号処理及び制御部１１は、ステップＳ７４において、操作判定部１５の出力によって、データベースの作成のためのサンプル画像の撮影を行うサンプルモードが指定された否かを判定する。サンプルモードが指定されると、表示制御部１１ａは、サンプルモードに移行したことを示すメッセージ表示及びカラー調整を行うためのカラーバー表示を表示させる（ステップＳ７５）。
【００７２】
図１１（ｂ）は表示画面３８上に、主被写体が花の画像６６であるスルー画６５が表示されていることを示している。表示画面３８上には、主被写体の色相（Ｈ）、彩度（Ｓ）及び明度（Ｖ）を調整するためのカラーバー表示６７が表示されている。また、表示画面３８上には、サンプル画像撮影中であることを示すメッセージ表示６８も表示されている。
【００７３】
カラーバー表示６７中の３つのバー６７ａは、主被写体の現在の色相（Ｈ）、彩度（Ｓ）及び明度（Ｖ）のレベルを示している。ユーザが、３つのバー６７ａ上を移動する操作部６７ｂを、タッチパネル３６上でスライド操作することで、主被写体の色相（Ｈ）、彩度（Ｓ）及び明度（Ｖ）のレベルを変更することができるようになっている。
【００７４】
信号処理及び制御部１１は、ユーザのカラーバー操作を判定し（ステップＳ７６）、ユーザがカラーバーの操作部６７ｂを操作すると、処理をステップＳ７７に移行する。ステップＳ７７において、パラメータ制御部１１ｅは、ユーザのカラーバー操作に応じて、撮像画像に対する画像処理を変更し、主被写体の色相（Ｈ）、彩度（Ｓ）及び明度（Ｖ）のレベルをカラーバー操作に一致させる。なお、カラーバー操作によるカラー調整は、明度のみの調整も含む。
【００７５】
信号処理及び制御部１１は、ステップＳ７６においてカラーバー操作が発生していない場合には、ステップＳ７８において、タッチ操作が発生しているか否かを判定する。ユーザが、図１１（ｃ）に示すように、指６９で例えば背景部分をタッチ操作すると、パラメータ制御部１１ｅは、タッチ部分に対応した領域をぼけ有りに設定する（ステップＳ７９）。表示制御部１１ａは、ぼけ指定中のメッセージ表示７０を表示する。
【００７６】
信号処理及び制御部１１は、ステップＳ８０において、図示しないリセットボタン操作等によりリセット操作があったか否かを判定する。リセットが発生した場合には、パラメータ制御部１１ｅは、ステップＳ７６，Ｓ７８におけるユーザのカラー調整及びぼけ設定を、元の状態に戻す。なお、パラメータ制御部１１ｅは、ユーザのカラーバー操作及びぼけの設定操作に応じて、パラメータを変更しており、ユーザはスルー画によって設定状態を確認することができる。
【００７７】
信号処理及び制御部１１は、ステップＳ８２において撮影操作が行われたか否かを判定する。信号処理及び制御部１１は、撮影操作が行われると、設定されたパラメータを用いてサンプル画像を撮像する。サンプル画像は、記録部１６によって記録される。また、データベース生成部１１ｃはサンプル画像に基づいてデータベースを構築する。また、データベース生成部１１ｃは、サンプル画像の撮像に用いたカラー調整のパラメータ及びぼけ量をデータベース記録部３７に記録する。
【００７８】
ステップＳ７２において、メニュー操作が行われていないと判定されると、サンプル判定部１１ｄは、撮像されている画像がいずれのサンプル画像に類似しているかを判定する（ステップＳ９１）。類似しているサンプル画像が存在する場合には、パラメータ制御部１１ｅは、類似したサンプル画像の指定被写体の色の情報に基づいて、撮像画像の対応する被写体のカラー調整を行う。
【００７９】
信号処理及び制御部１１は、ステップＳ９３においてメニューオン操作が行われたか否かを判定する。メニューオン操作が行われた場合には、表示制御部１１ａは、カラーバー表示６７を表示画面３８上に表示する。ステップＳ９５において、ユーザが操作部６７ｂを操作してカラー調整を行うと、パラメータ制御部１１ｅは、ユーザの調整操作に応じて撮像画像のカラー調整を行う（ステップＳ９６）。
【００８０】
ステップＳ９７ではメニューオフ操作が判定され、表示制御部１１ａは、メニューオフ操作が行われると、ステップＳ９８においてカラーバー表示６７を消去する。
【００８１】
ユーザは、撮像画像のカラー調整に満足するまで、ステップＳ９５におけるカラー調整操作を繰り返すことができる。ユーザがカラー調整に満足してレリーズボタンを押すと、処理はステップＳ９９からステップＳ１００に移行して、撮影が行われる。パラメータ制御部１１ｅは、絞り、焦点距離、画像処理を変化させて異なるぼけ量が得られるように、連続撮影を行う。
【００８２】
信号処理及び制御部１１は、連続撮影された画像のうちぼけ量がデータベース記録部３７に記録されたサンプル画像のぼけ量に近い画像を選択して（ステップＳ１０１）、レックビュー表示する（ステップＳ１０２）。信号処理及び制御部１１は、ステップＳ１０２において別画像が指定されるか否かを判定する。ユーザによって別画像が指定されると、信号処理及び制御部１１は、ステップＳ１０４において連続撮影された画像から別の画像を選択してレックビュー表示を繰り返す（ステップＳ１０２）。ユーザがレックビュー表示された画像を気に入ると、例えばユーザの指定操作によって選択された画像が記録される（ステップＳ１０５）。
【００８３】
このように本実施の形態においては、データベース構築のためのサンプル画像の撮影時にカラー調整及びぼけ調整が可能であり、サンプル画像の撮像時における光源等の撮影環境の相違によって、明るさやホワイトバランス等が撮影毎に異なる場合でも、ユーザの希望に添ったサンプル画像を得ることができる。こうして、ユーザが希望するサンプル画像の取得が可能であり、サンプル撮影においてユーザが希望するサンプル画像を用いた撮影が可能である。これにより、撮像画像の仕上がりを、ユーザが希望するサンプル撮像に一致させることが可能となる。
【００８４】
なお、本実施の形態においては、カラーバー表示により、色相（Ｈ）、彩度（Ｓ）及び明度（Ｖ）のレベルを変更してカラー調整を行う例を説明したが、色を選択するカラーピッカーによって直接色を指定することでカラー調整を行ってもよい。また、色差ヒストグラムを調整するためのユーザインタフェースを備えて、第１の実施の形態と同様に、色差ヒストグラムを用いてカラー調整を行ってもよいことは明らかである。
【００８５】
また、上記各実施の形態においては、指定効果として色及びぼけについて説明したが、サンプル画像の指定被写体から階調に関する情報を取得し、撮像画像の対応する被写体の階調をサンプル画像に一致させるようにしてもよい。
【００８６】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【００８７】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【符号の説明】
【００８８】
１…撮影機器、１０…本体部、１１…信号処理及び制御部、１１ａ…表示制御部、１１ｂ…被写体判定部、１１ｃ…データベース生成部、１１ｄ…サンプル判定部、１１ｅ…パラメータ制御部、１２…撮像部、１５…操作判定部、１６…記録部、１９…通信部、２０…交換レンズ、３０…接眼部、３１…接眼表示部、３５…表示部、３６…タッチパネル、３７…データベース記録部。
【図１】
2014036269.tif 000003
【図２】
2014036269.tif 000004
【図３】
2014036269.tif 000005
【図４】
2014036269.tif 000006
【図５】
2014036269.tif 000007
【図６】
2014036269.tif 000008
【図７】
2014036269.tif 000009
【図８】
2014036269.tif 000010
【図９】
2014036269.tif 000011
【図１０】
2014036269.tif 000012
【図１１】
2014036269.tif 000013